(57)【要約】【課題】  ＰＨＳアダプタを設置することにより、携帯保守端末装置のワイヤレス接続を可能にした機械室レスエレベータ用として好適な保守管理システムを得る。【解決手段】  被保守機器を監視するために公衆回線を介して接続された情報監視センター３と、情報監視センターと被保守機器制御盤１及び被保守機器監視装置２との間を接続するために被保守機器近傍に設置されたＰＨＳアダプタ５と、ＰＨＳアダプタにＰＨＳカードを用いてトランシーバーモード接続可能な携帯保守端末装置１１とを備える。【選択図】    図１
2006008290.tif 000002
【特許請求の範囲】
【請求項１】
被保守機器を監視するために公衆回線を介して接続された情報監視センターと、
前記情報監視センターと被保守機器制御盤及び被保守機器監視装置との間を接続するために被保守機器近傍に設置されたＰＨＳアダプタと、
前記ＰＨＳアダプタにＰＨＳカードを用いてトランシーバーモード接続可能な携帯保守端末装置と、
を備えたことを特徴とする保守管理システム。
【請求項２】
エレベータを監視するために公衆回線を介して接続された情報監視センターと、
前記情報監視センターと昇降路内に設けられたエレベータ制御盤及びエレベータ監視装置との間を接続するためにエレベータ乗場に設置されたＰＨＳアダプタと、
前記ＰＨＳアダプタにＰＨＳカードを用いてトランシーバーモード接続可能な携帯保守端末装置と、
を備えたことを特徴とする機械室レスエレベータの保守管理システム。
【請求項３】
ＰＨＳアダプタは、トランシーバーモードの時に点灯するＬＥＤ表示器を備えることを特徴とする請求項１又は請求項２記載の保守管理システム。
【請求項４】
ＰＨＳアダプタは、一定時間、携帯保守端末装置からのアクセスがなければ公衆モードに戻ることを特徴とする請求項１又は請求項２記載の保守管理システム。
【請求項５】
ＰＨＳアダプタは、監視装置から発報があれば、携帯保守端末装置を切り離して公衆モードに戻り、情報監視センターに発報することを特徴とする請求項１〜請求項４記載の保守管理システム。
【発明の詳細な説明】
【技術分野】
【０００１】
この発明は、ＰＨＳ（Personal  Handyphone  System）を利用した機械室レスエレベータ用として好適な保守管理システムに関するものである。
【背景技術】
【０００２】
近年、機械室レスエレベータが多く導入されてきている。機械室レスエレベータでは、保守点検時に携帯保守端末装置を接続する際には、最下階の乗場ボタンを取り外してコネクターに接続していた。また、機械室レスエレベータでは、機械室がないためエレベータ制御盤は昇降路の中に設置されている。
また、従来技術として、携帯端末装置に保守プログラムをインストールし、被保守機器との間、及び保守のためのホストコンピュータとの間で、少なくとも現場では無線でデータ送受信を行うエレベータ等の保守管理システムが提案されている（例えば、特許文献１、２参照）。
【０００３】
【特許文献１】特開２００２−３７５５８号公報
【発明の開示】
【発明が解決しようとする課題】
【０００４】
上述のように、機械室レスエレベータでは、保守点検時に携帯保守端末装置を接続する際には、最下階の乗場ボタンを取り外してコネクターに接続していたため、接続作業が面倒であった。また接続ケーブルの長さが短いため乗場床面上に座って保守点検作業を行うこととなり、顧客対応の面で見苦しいという問題があった。また、機械室レスエレベータは、エレベータ制御盤が昇降路の中にあり、ＰＨＳの電波が入りにくいという問題があった。また、特許文献１記載に記載されたものは、機械室レスエレベータを対象としたものではないため、上記課題を解決するための考慮は払われていない。
【０００５】
この発明は、上述のような課題を解決するためになされたもので、ＰＨＳアダプタを乗場等に設置することにより、携帯保守端末装置のワイヤレス接続を可能にした機械室レスエレベータ用として好適な保守管理システムを提供するものである。
【課題を解決するための手段】
【０００６】
この発明に係る保守管理システムにおいては、被保守機器を監視するために公衆回線を介して接続された情報監視センターと、情報監視センターと被保守機器制御盤及び被保守機器監視装置との間を接続するために被保守機器近傍に設置されたＰＨＳアダプタと、ＰＨＳアダプタにＰＨＳカードを用いてトランシーバーモード接続可能な携帯保守端末装置とを備えたものである。
【０００７】
また、この発明に係る機械室レスエレベータの保守管理システムにおいては、エレベータを監視するために公衆回線を介して接続された情報監視センターと、情報監視センターと昇降路内に設けられたエレベータ制御盤及びエレベータ監視装置との間を接続するためにエレベータ乗場に設置されたＰＨＳアダプタと、ＰＨＳアダプタにＰＨＳカードを用いてトランシーバーモード接続可能な携帯保守端末装置とを備えたものである。
【０００８】
また、ＰＨＳアダプタは、トランシーバーモードの時に点灯するＬＥＤ表示器を備えるものである。  
【０００９】
また、ＰＨＳアダプタは、一定時間、携帯保守端末装置からのアクセスがなければ公衆モードに戻るものである。
【００１０】
また、ＰＨＳアダプタは、監視装置から発報があれば、携帯保守端末装置を切り離して公衆モードに戻り、情報監視センターに発報するものである。
【発明の効果】
【００１１】
この発明の保守点検システムによれば、携帯保守端末装置を使用する時に、カバー等を取り外す必要がなくなる。また、接続ケーブルが不要なため、電波の届く範囲であれば作業が可能となり、床面上に座っての作業がなくなるので、顧客対応の面でも見苦しさがなくなる。また、ＰＨＳアダプタを設置可能とすることで、安価に構成することができる。
【発明を実施するための最良の形態】
【００１２】
実施の形態１．
図１はこの発明を実施するための実施の形態１における機械室レスエレベータ用として好適な保守管理システムを示すシステム構成図である。
図において、１は被保守機器である機械室レスエレベータの制御盤で、昇降路内に設置される。２はエレベータ監視装置、３はエレベータを監視するため基地局４を介して公衆回線により接続された情報監視センター、５はエレベータ制御盤１及びエレベータ監視装置２と情報監視センター３との間を接続するために被保守機器近傍であるエレベータ乗場に設置されたＰＨＳアダプタである。このＰＨＳアダプタ５は、アナログ回線インターフェース６、Ａ／Ｄ変換器７、ＲＳ−２３２Ｃ８、ＰＨＳインターフェース９、及びＰＨＳアダプタ５がトランシーバーモードの時に点灯するＬＥＤ表示器１０等から構成されている。１１は保守作業員が持ち運びできる携帯保守端末装置で、ＰＨＳカード（図示せず）を用いてＰＨＳアダプタ５にトランシーバーモードで接続可能であり、ＰＨＳアダプタ５経由でＲＳ−２３２Ｃ８にてエレベータ制御盤１に接続し、保守作業を行う。また、ＰＨＳアダプタ５は、予め決められた電話番号からの着信（発信者番号で識別する）があると、ＰＨＳのトランシーバ−モードに変更になる。例えば、予め電話番号を登録してある手持ちの携帯電話機１２で電話すると、着信と同時にトランシーバーモードに切り替わる。トランシーバーモード変更をＬＥＤ表示器１０の点灯で確認した後、携帯保守端末装置１１からＰＨＳカード（図示せず）を用いて、ＰＨＳアダプタ５にトランシーバーモードで接続を行う。ＰＨＳアダプタ５は一定時間、携帯保守端末装置１１からのアクセスがなければ公衆モードに戻る。また、ＰＨＳアダプタ５はエレベータ監視装置２から発報があれば、携帯保守端末装置１１を切り離して公衆モードに戻り、情報監視センター３に発報を行う。なお、トランシーバーモードに切り替えるための電話番号やトランシーバーモード接続可能なＰＨＳカード情報等は情報監視センター３からダウンロード可能である。
したがって、携帯保守端末装置１１を使用する時に、乗場ボタンを取り外す必要がなくなる。また、接続ケーブルが不要なため、電波の届く範囲であれば作業が可能となり、乗場床面上に座っての作業がなくなるので、顧客対応の面でも見苦しさがなくなる。また、ＰＨＳアダプタを乗場に設置可能とすることで、安価に構成することができる。
【図面の簡単な説明】
【００１３】
【図１】この発明の実施の形態１における機械室レスエレベータ用として好適な保守管理システムを示すシステム構成図である。
【符号の説明】
【００１４】
１  エレベータ制御盤
２  エレベータ監視装置
３  情報監視センター
４  基地局
５  ＰＨＳアダプタ
６  アナログ回線インターフェース
７  Ａ／Ｄ変換器    
８  ＲＳ−２３２Ｃ
９  ＰＨＳインターフェース
１０  ＬＥＤ表示器
１１  携帯保守端末装置
１２  携帯電話機  
【図１】
2006008290.tif 000003